(57)【要約】【課題】絞り出し容器に貯留されたペースト状体をきれいな星形状の断面形状で連続的に絞り出すことができるとともに、部分的な目詰まりが発生しない絞り出し容器用キャップを実現する。【解決手段】絞り出し容器用キャップ１０は、筒状の胴部１と、胴部１の一端側に連設された天板２と、胴部１の他端側の内壁面に形成されたねじ部１ａとを備えている。天板２には反胴部側へ突出する略円錐状の凸部３が形成されており、凸部３に絞り出し口４が設けられている。絞り出し口４は、凸部３の頂部に開口する孔および前記孔の周縁から天板側へ向かって傾斜壁部に放射状に切り込まれた略同一幅であって外側端に湾曲部４ｂを有する複数のスリット部４ａからなり、ペースト状体を星形状の断面形状で絞り出すことができる。【選択図】図１
2005096776.tif 000002
【特許請求の範囲】
【請求項１】
筒状の胴部と、前記胴部の一端側に連設された天板と、前記胴部の他端側に設けられた装着部とを有し、前記装着部を介してペースト状体を貯留する絞り出し容器の注出口に装着される絞り出し容器用キャップにおいて、
前記天板に反胴部側へ突出する円錐状の凸部を形成し、前記凸部の頂部に開口する孔および前記孔の周縁から天板側へ向かって傾斜壁部に放射状に切り込まれた略同一幅であって外側端に湾曲部を有する複数のスリット部からなる絞り出し口を設けることにより、前記ペースト状体を前記絞り出し口から星形状の断面形状で絞り出せるように構成したことを特徴とする絞り出し容器用キャップ。
【請求項２】
胴部の天板側端に、絞り出し口を密閉するための蓋部をヒンジ部を介して開閉自在に取り付けたことを特徴とする請求項１記載の絞り出し容器用キャップ。
【発明の詳細な説明】
【技術分野】
【０００１】
本発明は、マヨネーズ、ケチャップ、クリーム、ソフトチョコレート等のペースト状体を貯留し、必要に応じて容器胴部を押圧変形させてペースト状体を絞り出すことができる絞り出し容器に用いられる、絞り出し容器用キャップに関するものである。
【背景技術】
【０００２】
マヨネーズ、ケチャップ、クリーム、ソフトチョコレート等のペースト状体を貯留するための絞り出し容器の一従来例について説明する。
【０００３】
図３に示すように、この従来の絞り出し容器１０１は、口部１０２の天板１０３に、星形状の絞り出し口１０６が開口されており、絞り出し容器１０１を押圧変形させると内部に貯留されたペースト状体を星形状の断面形状で連続的に絞り出すことができるとともに、ペースト状体を充填する際には天板１０３を変形させて絞り出し口１０６を拡大できるように構成されている（実公昭５５−５６１２７号公報参照）。
【０００４】
上記従来の絞り出し容器では、天板の星形状の絞り出し口の外側端縁が鋭角であるので、ペースト状体が通過する際の流動抵抗が大きく、絞り出し時に天板が変形してペースト状体をきれいな星形の断面形状で連続的に絞り出すことができないばかりでなく、部分的な目詰まりが生じるという未解決の課題があった。
【特許文献１】実公昭５５−５６１２７号公報
【発明の開示】
【発明が解決しようとする課題】
【０００５】
本発明は、上記従来の技術の有する未解決の課題に鑑みてなされたものであって、絞り出し容器に貯留されたペースト状体をきれいな星形状の断面形状で連続的に絞り出すことができるとともに、部分的な目詰まりが発生しない絞り出し容器用キャップを実現することを目的とするものである。
【課題を解決するための手段】
【０００６】
上記目的を達成するため、本発明の絞り出し容器用キャップは、筒状の胴部と、前記胴部の一端側に連設された天板と、前記胴部の他端側に設けられた装着部とを有し、前記装着部を介してペースト状体を貯留する絞り出し容器の注出口に装着される絞り出し容器用キャップにおいて、前記天板に反胴部側へ突出する略円錐状の凸部を形成し、前記凸部の頂部に開口する孔および前記孔の周縁から天板側へ向かって傾斜壁部に放射状に切り込まれた略同一幅であって外側端に湾曲部を有する複数のスリット部からなる絞り出し口を設けることにより、前記ペースト状体を前記絞り出し口から星形状の断面形状で絞り出せるように構成したことを特徴とするものである。
【０００７】
また、胴部の天板側端に、絞り出し口を密閉するための蓋部をヒンジ部を介して開閉自在に取り付けたものとする。
【発明の効果】
【０００８】
本発明の絞り出し容器用キャップは、絞り出し容器に貯留されているペースト状体をきれいな星形状の断面形状で連続的に絞り出すことができるとともに、部分的な目詰まりが発生するおそれがなくなる。
【０００９】
また、絞り出し口から絞り出される断面形状が星形状のペースト状体の流れの先端部が略円錐形状になり、ペースト状体を安定して絞り出すことができるので、絞り出されたペースト状体による装飾等の作業性が向上する。
【発明を実施するための最良の形態】
【００１０】
図１は、第１の実施の形態による絞り出し容器用キャップを示し、（ａ）は斜視図、（ｂ）は（ａ）のＡ−Ａ線に沿う断面図である。
【００１１】
本実施の形態による絞り出し容器用キャップ１０は、外周面にローレット部１ｂが設けられた筒状の胴部１と、胴部１の一端に連設された天板２と、胴部１の他端側の内壁面に形成されたねじ部１ａとを備えている。
【００１２】
天板２の略中央部位には、反胴部側へわずかに突出する円筒部３ｂおよび円筒部３ｂに連設された略円錐状の凸部３が形成されており、略円錐状の凸部３に絞り出し口４が設けられている。絞り出し口４は、凸部３の頂部に開口する孔および前記孔の周縁から天板側へ向かって傾斜壁部３ａ（凸部の円錐面を形成する側壁部分）に放射状に切り込まれた略同一幅であって外側端に湾曲部４ｂを有する複数のスリット部４ａからなり、互いに隣接するスリット部４ａの内側端は前記孔の周縁上で交差している。
【００１３】
また、天板２の外周縁部には、軸方向へ突出する環状突条部５が突設されている。
【００１４】
なお、本実施の形態において、天板２に反胴部側へわずかに突出する円筒部３ｂに略円錐状の凸部３が連設されたものを示したが、これに限らず、天板２から直接反胴部側へ突出する略円錐状の凸部を形成してもよい。
【００１５】
続いて、本実施の形態による絞り出し容器用キャップの作用について説明する。
【００１６】
絞り出し容器用キャップ１０を、胴部１のねじ部１ａをペースト状体が貯留された絞り出し容器の口部のねじ部（不図示）に螺合して装着し、絞り出し容器の胴部を押圧変形させてペースト状体を絞り出す。
【００１７】
本実施の形態による絞り出し容器用キャップ１０は、天板２の剛性が増大するとともに絞り出し口４をペースト状体が通過する際の流動抵抗が低減するため、ペースト状体の絞り出し時に天板２が変形するおそれがない。
【００１８】
また、ペースト状体を絞り出したのち、絞り出し口４を閉鎖するシール部を有するシールキャップ（不図示）を環状突条部５の外周面に嵌合することによって絞り出し口４を密閉し、絞り出し容器に残存するペースト状体を保存することができる。
【００１９】
さらに、絞り出し口４から絞り出される断面形状が星形状のペースト状体の流れの先端部が略円錐形状になり、ペースト状体を安定して絞り出すことができるので、絞り出されたペースト状体による装飾等の作業性が向上する。
【００２０】
図２は、第２の実施の形態による絞り出し容器用キャップを、絞り出し容器の口部に取り付けた状態で示す主要部の模式斜視図である。
【００２１】
本実施の形態による絞り出し容器用キャップ３０は、キャップ本体２０の胴部２１の天板側端にヒンジ部４３を介して絞り出し口２４を密閉するための蓋部４１を開閉自在に付設した、いわゆるヒンジキャップタイプのものである。
【００２２】
筒状の胴部２１の一端側に連設された天板２２には、図１に示した第１の実施の形態の略円錐状の凸部３と略同様の略円錐状の凸部２３が形成されており、凸部２３の頂部に開口する孔および前記孔の周縁から天板側へ向かって傾斜壁部２３ａに放射状に切り込まれた略同一幅であって外側端に湾曲部２４ｂを有する複数のスリット部２４ａからなる絞り出し口２４が形成されている。
【００２３】
また、胴部２１の他端側の内壁面には、図１に示した第１の実施の形態による絞り出し容器用キャップ１０と同様のねじ部（不図示）が設けられており、絞り出し容器５０の口部に螺合して装着することができるようになっている。
【００２４】
他方、蓋部４１の天板４１ａには、蓋部４１の開口縁部４１ｂをキャップ本体２０の胴部２１の開口縁部２１ａに当接する閉鎖位置まで回動させた際に凸部２３の外周面に嵌合する環状のシール部４２が突設されている。
【００２５】
本発明の絞り出し容器用キャップにおいて、胴部の他端側に設けられた装着部は、上記各実施の形態に示した胴部の他端側の内壁面に形成されたねじ部に限らず、絞り出し容器の注出口との嵌合部に抜け止め用の係止手段を有するものや、通常の絞り出しでは抜け落ちないはめ合い等級の嵌合部等を採用してもよい。
【図面の簡単な説明】
【００２６】
【図１】第１の実施の形態による絞り出し容器用キャップを示し、（ａ）は斜視図、（ｂ）は（ａ）のＡ−Ａ線に沿う断面図である。
【図２】第２の実施の形態による絞り出し容器用キャップを、絞り出し容器の口部に装着した状態で示す主要部の模式斜視図である。
【図３】一従来例による絞り出し容器の斜視図である。
【符号の説明】
【００２７】
１、２１    胴部
１ａ    ねじ部
１ｂ    ローレット部
２、２２    天板
３、２３    凸部
４、２４    絞り出し口
４ａ、２４ａ    スリット部
４ｂ、２４ｂ    湾曲部
５    環状突条部
１０、３０    絞り出し容器用キャップ
２０    キャップ本体
４１    蓋部
４２    シール部
５０    絞り出し容器
【図１】
2005096776.tif 000003
【図２】
2005096776.tif 000004
【図３】
2005096776.tif 000005